(57)【要約】      （修正有）【課題】ホッパーから燃料供給筒内に固形燃料を供給するに当たり、燃焼炉内に均一に供給し、炉内温度を均一にする装置を提供する。【解決手段】ギアモータ４で可動する燃料供給スクリュー７、小型スクリュー２４、回転部と固定されているステー９の３つを結ぶユニバーサルジョイント８をつけることで、ドアから燃焼炉内１１へと出てきた固形燃料は、撹拌板１２を回転部上部に固定し、回転部を回転することにより火格子面に対して均一に燃料炉内１１へと送り込み、ダンパー２が閉まればドアも閉じ固形燃料の供給を止める。【選択図】図１
0003165490.tif 000002
【実用新案登録請求の範囲】
【請求項１】
ギアモーターで可動する燃料供給スクリューと回転部に固定してあるステーとを結ぶユニバーサルジョイントがあり、ギアモーターにより燃料供給スクリューが回転することで、ユニバーサルジョイントを介しステーへと伝わり撹拌板を上部に固定した回転部が回転することで、ドアから出てきた固形燃料を炉内に均一に送り込むことができ、ダンパーが止まる際はドアが閉まり固形燃料の供給を止める装置
【請求項２】
燃料供給筒内に、窒素ガス封入口を設けておくことで燃焼炉内での異常燃焼や燃料供給筒内に火が侵入してきた際に、窒素ガス封入口と窒素ガスボンベの間にある電磁弁を開き、燃料供給筒内及び燃焼炉内に供給し、窒息消火するための装置を備えている固形燃料を燃焼炉内に送り込む装置
【考案の詳細な説明】
【技術分野】
【０００１】  本発明は、固形燃料を燃焼炉内に連続供給するための装置である。
【背景技術】
【０００２】  従来の固形燃料を燃焼炉内に連続供給する装置は、外部のホッパーから供給スクリューを介して燃焼炉内に送り込む装置であった。
【先行技術文献】
【特許文献】
【０００３】  また、特許公開平５−３５３４１７のように燃料供給機構から燃焼炉内に供給すると、燃料供給機構出口の下に燃料が集中するため、炉内温度が均一にならない。
【考案の概要】
【考案が解決しようとする課題】
【０００４】  本考案で解決しようとする課題は、連続式の燃料供給方法であり、かつ燃焼炉内に均一に燃料を供給して炉内温度を均一にするための装置である。
【課題を解決するための手段】
【０００５】  本発明は、燃料供給スクリューで固形燃料をドアへと送り、固形燃料は蝶番で固定してあるドアを押し、燃焼炉内へと送り込み回転部まで到達することで回転部上部に固定されてある撹拌板が回転部と共に回転して火格子面積に対して固形燃料を均一に配分する。【０００６】  また万が一の燃焼炉内における緊急消火対策として、燃料供給筒側から窒素ガス封入口を設けることで燃焼炉内の緊急消火効果を高める。
【考案の効果】
【０００７】  モーターで可動する燃料供給スクリューと回転部に接続しているステーをユニバーサルジョイントでつなぐことで回転部を回転させて、回転部上部に固定されてある撹拌板により固形燃料を火格子部分に均一に配分する。【０００８】  ユニバーサルジョイントの上部に小型燃料供給スクリューを設けることでドアへと固形燃料を送り込むことができる。【０００９】  事故、災害等により燃焼炉内に異常燃焼が発生した際は、回転部到着前の固形燃料を回収するために、燃料供給筒の末端のスプリングを引くことで過剰な固形燃料を燃料供給筒内に回収し、窒素封入口より窒素ガスが燃料供給筒を通過し、燃焼炉内へと噴霧して、窒息消火させる。
【図面の簡単な説明】
【００１０】
【図１】全体図
【図２】回転部付近図とその上部  閉じている状態
【図３】回転部付近図とその上部  開いている状態
【図４】回転部付近図とその上部  開いている状態と流れ
【考案を実施するための形態】
【００１１】  固形燃料１５を投入するホッパー１があり、ホッパー１から燃料供給筒６の間にはダンパー２があり、ダンパー２とモーター３により固形燃料１５の搬入量を制限して燃料供給筒６へと送り込む。
【００１２】  ダンパー２で制限し送り込まれた固形燃料１５は、燃料供給筒６内にあるギアモーター４で可動する燃料供給スクリュー７と小型スクリュー２４があり、燃料供給スクリュー７と小型スクリュー２４とを結ぶユニバーサルジョイント８により動力を伝えることで、固形燃料１５をドア１３へと供給し続けることでドア１３を押し上げて燃焼炉１１内に送り込む。
【００１３】  燃料供給スクリュー７と小型スクリュー２４とを固定しているユニバーサルジョイント８は回転部１６に対してステー９で固定することでギアモーター４の動力が伝わりスクリュー１０に従い回転する回転部１６と回転部１６の上にある撹拌板１２により燃焼炉１１内に固形燃料１５を均一に配分する装置である。
【００１４】  緊急時に備えてダンパー２、モーター３及びギアモーター４は連動することで固形燃料１５の供給を止め、ドア１３を開け回転部１６に到着する前の固形燃料１５は燃料供給スクリュー７とモーター３の間に設けてあるスプリング５を引き下げることで余分な固形燃料１５を燃料供給筒６内に戻し、燃焼炉１１内への供給を止める。
【００１５】  万が一、火が燃料供給筒６内に入り込んだ場合のために窒素ガス封入口１７を設けておき、窒素ボンベ１９と窒素ガス封入口１７の間に電磁弁１８を設定して、緊急時には電磁弁１８を開き燃料供給筒６、燃焼炉１１内の火を窒息消火させる装置である。
【産業上の利用可能性】
【００１６】  本装置は、廃棄物を燃料と加工した固形燃料１５を用いて温水を作る温水器に適している。燃料供給や安全性だけでなく、図４のｃの流れのように耐熱モルタル２１の内側を水やクーラント等を通すことで熱効率の良い温水器の手助けになる
【符号の説明】
【００１７】  １  ホッパー
２  ダンパー
３  モーター
４  ギアモーター
５  スプリング
６  燃料供給筒
７  燃料供給スクリュー
８  ユニバーサルジョイント
９  ステー
１０  スクリュー
１１  燃焼炉
１２  撹拌板
１３  ドア
１４  蝶番
１５  固形燃料
１６  回転部
１７  窒素ガス封入口
１８  電磁弁
１９  窒素ボンベ
２０  耐火モルタル
２１  耐火モルタル
２２  水等の液体
２３  配管
２４  小型スクリュー
ａ  固形燃料の流れ
ｂ  撹拌板の動作方向
ｃ  水等の流れ
【図１】
0003165490.tif 000003
【図２】
0003165490.tif 000004
【図３】
0003165490.tif 000005
【図４】
0003165490.tif 000006
【手続補正書】
【提出日】平成22年10月27日(2010.10.27)
【手続補正１】
【補正対象書類名】実用新案登録請求の範囲
【補正対象項目名】全文
【補正方法】変更
【補正の内容】
【実用新案登録請求の範囲】
【請求項１】
ギアモータで可動する燃焼供給筒内にある燃料供給スクリューと回転部に固定してあるステーとを結ぶユニバーサルジョイントがあり、ギアモーターにより燃料供給スクリューが回転することで、ユニバーサルジョイントを介してステーへと伝わり撹拌板を上部に固定した回転部が回転することで、回転部の中心部分に位置し、燃料供給筒と同形で、円の中心に蝶番でとめてあるドアから押して出てきた固形燃料を燃焼炉内に均一に送り込むことができ、ホッパーの底の部分にあり固形燃料を燃料供給筒内への搬入を調節するダンパーが止まる際は燃料供給筒内下部にあるスプリングを引き下げることによりドアが閉まり固形燃料の供給を止める装置。
【請求項２】
窒素ガスボンベからの配管した金属管を燃焼供給筒及び燃焼炉に噴霧するための窒素ガス封入口と結ぶことで、燃焼炉内で発生した異常燃焼や燃料供給筒内に火が侵入してきた際に、窒素ガス封入口と窒素ガスボンベとの間に設置してある電磁弁を開き、燃料供給筒内及び燃焼炉内に窒素ガスを供給し、窒息消火するための装置を備えていることを特徴とする請求項１記載の装置。